(57)【特許請求の範囲】
【請求項１】
利用者を識別する識別データと有効期限データとが記録され、前記識別データと前記有効期限データとを送信する発信機を有する非接触カードと、この非接触カードから送信された前記識別データと前記有効期限データとを受信する受信機を有し、かつ入退室が許可された利用者のデータが登録されており、前記登録データと前記受信した識別データとの一致を判別し、一致が判別された場合には電気錠を解錠する制御手段とを備えた入退室管理装置において、前記登録データ中のデータと一致すると判断され入退室が許可された利用者の非接触カードの識別データおよび有効期限データとを受信した後、一定時間内に受信した識別データまたは有効期限データが前記登録データ中のデータと一致すると判断され入退室が許可された利用者の非接触カードと異なっている場合には電気錠が解錠されないようにすることを特徴とする入退室管理装置。
【請求項２】
利用者を識別する識別データと有効期限データとが記録され、前記識別データと前記有効期限データとを送信する発信機を有する非接触カードと、この非接触カードから送信された前記識別データと前記有効期限データとを受信する受信機を有し、かつ入退室が許可された利用者のデータが登録されており、前記登録データと前記受信した識別データとの一致を判別し、一致が判別された場合には電気錠を解錠する制御手段とを備えた入退室管理装置において、警報を発する報知手段を備え、前記登録データ中のデータと一致すると判断され入退室が許可された利用者の非接触カードの識別データおよび有効期限データとを受信した後、一定時間内に受信した非接触カードの識別データまたは有効期限データが前記登録データ中のデータと一致すると判断され入退室が許可された利用者の非接触カードと異なっている場合には、警報を発するとともに電気錠が解錠されないようにすることを特徴とする入退室管理装置。
【請求項３】
利用者を識別する識別データと有効期限データとが記録され、前記識別データと前記有効期限データとを送信する発信機を有する非接触カードと、この非接触カードから送信された前記識別データと前記有効期限データとを受信する受信機を有し、かつ入退室が許可された利用者のデータが登録されており、前記登録データと前記受信した識別データとの一致を判別し、一致が判別された場合には電気錠を解錠する制御手段とを備えた入退室管理装置において、前記制御手段に優先度が高い利用者の識別データが登録されており、前記受信機が入退室が許可された利用者の非接触カードの識別データおよび有効期限データとを受信した後、一定時間内に受信した識別データまたは有効期限データが前記入退室が許可された利用者の非接触カードと異なっており、かつ前記優先度が高い利用者の識別データと一致した場合には電気錠が解錠されることを特徴とする入退室管理装置。
【発明の詳細な説明】
【０００１】
【発明の属する技術分野】
この発明は、建物等へ入室または建物等から退室する人を管理する入退室管理装置に関するものである。
【０００２】
【従来の技術】
図６は、従来の入退室管理装置を示す説明図である。
図中、１は通行者、２は通行者１が所持する非接触カード、３は非接触カード２に記録されたカードデータ、４は非接触カード２に記録された有効期限、５はカードデータ３および有効期限４とを送信する発信機である。６は非接触カード２を読みとり、通行者１の入退室を管理する制御装置、７は制御装置６内に設けられた、発信機５からのカードデータ３および有効期限４とを受信する受信機、８は入退室が許可された通行者１の登録データ、９は現在時刻を出力する時計、１０は受信機７、登録データ８、および時計９に接続された中央処理装置、１１は中央処理装置１０に接続された電気錠制御装置、１２は電気錠制御装置１１に接続され、建物等の扉を施錠または解錠する電気錠である。
【０００３】
従来の入退室管理装置は上記の様に構成され、その動作を図７を参照して説明する。
ステップS1で、非接触カード２の発信機５は、カードデータ３および有効期限４とを制御装置６の受信機７へ送信する。ステップS2で、制御装置６の中央処理装置１０は、登録データ８の中に受信したカードデータ３と一致するものがあるかを判断し、一致するものがなければ処理を終了する。一致するものがあればステップS3へ進む。ステップS3で、制御装置６の中央処理装置１０は、受信した有効期限４と時計９から出力される現在時刻とを比較し、非接触カード２が有効期限を過ぎていれば処理を終了する。また、有効期限を過ぎていなければステップS4へ進み、電気錠制御装置１１を介して電気錠１２を一時解錠し、入室を許可する。
【０００４】
【発明が解決しようとする課題】
上記の様な従来の入退室管理装置では、制御装置６の受信機７が同時に２枚以上の非接触カード２から受信することができないため、使用可能な非接触カード２を所持する複数の通行者１が制御装置６の近くに滞留している場合、一方の通行者１のカードデータ３および有効期限４のみを受信して電気錠１２が解錠され、他の通行者１が入室してしまうという問題点が有った。
【０００５】
この発明は上記問題点を解決するためになされたものであり、使用可能な非接触カードを所持する複数の通行者が制御装置の近くに滞留している場合、電気錠が解錠されないようにする入退室管理装置を提供することを目的とする。
【０００６】
【課題を解決するための手段】
この発明にかかる入退室管理装置は、利用者を識別する識別データと有効期限データとが記録され、前記識別データと前記有効期限データとを送信する発信機を有する非接触カードと、この非接触カードから送信された前記識別データと前記有効期限データとを受信する受信機を有し、かつ入退室が許可された利用者のデータが登録されており、前記登録データと前記受信した識別データとの一致を判別し、一致が判別された場合には電気錠を解錠する制御手段とを備えた入退室管理装置において、前記登録データ中のデータと一致すると判断され入退室が許可された利用者の非接触カードの識別データおよび有効期限データとを受信した後、一定時間内に受信した非接触カードの識別データまたは有効期限データが前記登録データ中のデータと一致すると判断され入退室が許可された利用者の非接触カードと異なっている場合には電気錠が解錠されないようにするものである。
【０００７】
また、利用者を識別する識別データと有効期限データとが記録され、前記識別データと前記有効期限データとを送信する発信機を有する非接触カードと、この非接触カードから送信された前記識別データと前記有効期限データとを受信する受信機を有し、かつ入退室が許可された利用者のデータが登録されており、前記登録データと前記受信した識別データとの一致を判別し、一致が判別された場合には電気錠を解錠する制御手段とを備えた入退室管理装置において、警報を発する報知手段を備え、前記登録データ中のデータと一致すると判断され入退室が許可された利用者の非接触カードの識別データおよび有効期限データとを受信した後、一定時間内に受信した非接触カードの識別データまたは有効期限データが前記登録データ中のデータと一致すると判断され入退室が許可された利用者の非接触カードと異なっている場合には、警報を発するとともに電気錠が解錠されないようにするものである。
【０００８】
また、利用者を識別する識別データと有効期限データとが記録され、前記識別データと前記有効期限データとを送信する発信機を有する非接触カードと、この非接触カードから送信された前記識別データと前記有効期限データとを受信する受信機を有し、かつ入退室が許可された利用者のデータが登録されており、前記登録データと前記受信した識別データとの一致を判別し、一致が判別された場合には電気錠を解錠する制御手段とを備えた入退室管理装置において、前記制御手段に優先度が高い利用者の識別データが登録されており、前記受信機が入退室が許可された利用者の非接触カードの識別データおよび有効期限データとを受信した後、一定時間内に受信した識別データまたは有効期限データが前記入退室が許可された利用者の非接触カードと異なっており、かつ前記優先度が高い利用者の識別データと一致した場合には電気錠が解錠されることを特徴とする入退室管理装置。
【０００９】
【発明の実施の形態】
この発明の実施の形態を図について説明する。
実施の形態１．
図６は、従来の入退室管理装置を示す構成図であるが、この発明の実施の形態１による入退室管理装置における場合も構成は、同様である。
【００１０】
次に、この実施の形態の動作を図１を参照して説明する。
ステップS11で、非接触カード２の発信機５は、カードデータ３および有効期限４とを制御装置６の受信機７へ送信する。ステップS12で、制御装置６の中央処理装置１０は、登録データ８の中に受信したカードデータ３と一致するものがあるかを判断し、一致するものがなければ処理を終了する。一致するものがあればステップS13へ進む。ステップS13で、制御装置６の中央処理装置１０は、受信した有効期限４と時計９から出力される現在時刻とを比較し、非接触カード２が有効期限を過ぎていれば処理を終了する。また、有効期限を過ぎていなければ、ステップS14へ進む。ステップS14で非接触カード２の発信機５はカードデータ３および有効期限４とを制御装置６の受信機７へ送信する。
ステップS15で、制御装置６の中央処理装置１０は、受信したカードデータ３と、前の演算周期（以下前回とよぶ）で受信したカードデータ３との一致を判別し、一致していなければ処理を終了する。一致していればステップS16へ進む。ステップS16で制御装置６の中央処理装置１０は、前回のステップS11でカードデータ３を受信した後一定時間Ｔが経過しているかを判断し、経過していなければステップS14に戻る。経過していればステップS17へ進み、電気錠制御装置１１を介して電気錠１２を一時解錠し、入室を許可する。
【００１１】
以上の様に、この実施の形態においては、使用可能な非接触カード２を所持する複数の通行者１が制御装置６の近くに滞留している時、制御装置６が入退室が許可された一方の通行者１の非接触カード２からカードデータ３および有効期限４とを受信した後、一定時間内に他の通行者１の非接触カード２よりカードデータ３または有効期限４を受信した場合、受信したカードデータ３または有効期限４が前回と異なるので電気錠１２が解錠されないため、一方の通行者１のカードデータ３および有効期限４のみを受信し電気錠１２が解錠され、他の通行者１が入室してしまうというということが防止される。
【００１２】
実施の形態２．
図２は、この発明の実施の形態２による入退室管理装置を示す構成図である。図中、１０１は制御装置６の中央処理装置１０に接続され、受信機７が非接触カード２の発信機５よりカードデータ３および有効期限４とを受信した後、一定時間内に受信したカードデータ３または有効期限４が前回と異なっている場合には警報音を発生する警報音発生手段、１０２は警報メッセージを表示する警報表示手段である。
【００１３】
次に、この実施の形態の動作を図３を参照し説明する。ステップS21〜S24、図１のステップS11〜S14と同様である。ステップS25で、制御装置６の中央処理装置１０は、受信したカードデータ３と前回受信したカードデータ３との一致を判別し、一致していなければステップS28へ進む。ステップS28で、制御装置６の中央処理装置１０は、警報音発生手段１０１から警報音を発生するか、または警報表示手段１０２に警報メッセージを表示し、処理を終了する。ステップS25で、受信したカードデータ３と、前回受信したカードデータ３とが一致していればステップS26へ進む。ステップS26で、制御装置６の中央処理装置１０は、ステップS21でカードデータ３を受信した後一定時間Ｔが経過しているかを判断し、経過していなければステップS24に戻る。経過していればステップS27へ進み、電気錠制御装置１１を介して電気錠１２を一時解錠し、入室を許可する。
【００１４】
以上の様に、この実施の形態においては、使用可能な非接触カード２を所持する複数の通行者１が制御装置６の近くに滞留している場合、制御装置６が入退室が許可された一方の通行者１の非接触カード２よりカードデータ３および有効期限４とを受信した後、一定時間内に他の通行者１の非接触カード２よりカードデータ３および有効期限４とを受信し、受信したカードデータ３または有効期限４が前回と異なるので、電気錠１２が解錠されないし、また、どちらかの通行者１に制御装置６から離れるように警告するようにしたため、一方の通行者１のカードデータ３および有効期限４のみを受信し電気錠１２が解錠され、他の通行者１が入室してしまうというということが防止される。
【００１５】
実施の形態３．
図４は、この発明の実施の形態３による入退室管理装置を示す構成図である。図中、１０３は、優先度が高い通行者１のカードデータ（以下優先カードデータとよぶ）である。
【００１６】
次に、この実施の形態の動作を図５を参照して説明する。
ステップS31〜S34は、図１のステップS11〜S14と同様である。ステップS35で、制御装置６の中央処理装置１０は、受信したカードデータ３と前回受信したカードデータ３との一致を判別し、一致していなければステップS38へ進む。ステップS38で、制御装置６の中央処理装置１０は、優先カードデータ１０３の中に受信したカードデータ３と一致するものがあるかを判断し、一致するものがなければ処理を終了する。一致するものがあればステップS37へ進み、電気錠制御装置１１を介して電気錠１２を一時解錠し、入室を許可する。また、ステップS35で、受信したカードデータ３が前回受信したカードデータ３と一致していればステップS36へ進む。ステップS36で、制御装置６の中央処理装置１０は、ステップS31でカードデータ３を受信した後一定時間Ｔが経過しているかを判断し、経過していなければステップS34に戻る。経過していればステップS37へ進み、電気錠制御装置１１を介して電気錠１２を一時解錠し、入室を許可する。
【００１７】
以上の様に、この実施の形態においては、制御装置６が入退室が許可された通行者１の非接触カード２よりカードデータ３および有効期限４とを受信した後、一定時間内に受信したカードデータ３が優先度が高い通行者１のカードデータ３と一致した場合には電気錠１２が解錠される様にしたので、複数の通行者が制御装置６の近くに滞留した場合には、優先度が高い通行者１がいる場合に限り、電気錠１２が解錠される様にすることができるので、優先度の高い通行者１の判断に従って、他の通行者１の入室を許可することができる。
【００１８】
【発明の効果】
以上の様に、この発明によれば、登録データ中のデータと一致すると判断され入退室が許可された利用者の非接触カードの識別データおよび有効期限データとを受信した後、一定時間内に受信した非接触カードの識別データまたは有効期限データが登録データ中のデータと一致すると判断され入退室が許可された利用者の非接触カードと異なっている場合には電気錠が解錠されないようにすることにより、使用可能な非接触カードを所持する複数の通行者が制御装置の近くに滞留している場合、一方の通行者のカードデータおよび有効期限のみを受信し電気錠が解錠され、他の通行者が入室してしまうというということが防止される効果がある。
【００１９】
また、警報を発する報知手段を備え、登録データ中のデータと一致すると判断され入退室が許可された利用者の非接触カードの識別データおよび有効期限データとを受信した後、一定時間内に受信した非接触カードの識別データまたは有効期限データが登録データ中のデータと一致すると判断され入退室が許可された利用者の非接触カードと異なっている場合には、警報を発するとともに電気錠が解錠されないようにすることにより、使用可能な非接触カードを所持する複数の通行者が制御装置の近くに滞留している場合、一方の通行者のカードデータおよび有効期限のみを受信し電気錠が解錠され、他の通行者が入室してしまうというということが防止される効果がある。
【００２０】
また、制御手段に優先度が高い利用者の識別データが登録されており、受信機が入退室が許可された利用者の非接触カードの識別データおよび有効期限データとを受信した後、一定時間内に受信した識別データまたは有効期限データが入退室が許可された利用者の非接触カードと異なっており、かつ優先度が高い利用者の識別データと一致した場合には電気錠が解錠されることにより、複数の通行者が制御装置の近くに滞留した場合には、優先度が高い通行者がいる場合に限り、電気錠が解錠される様にすることができるので、優先度の高い通行者の判断に従って、他の通行者の入室を許可することができる。
【図面の簡単な説明】
【図１】  この発明の実施の形態１による入退室管理装置の動作を示すフローチャートである。
【図２】  この発明の実施の形態２による入退室管理装置を示す構成図である。
【図３】  図２の入退室管理装置の動作を示すフローチャートである。
【図４】  この発明の実施の形態３による入退室管理装置を示す構成図である。
【図５】  図４の入退室管理装置の動作を示すフローチャートである。
【図６】  この発明の実施の形態１によるまたは従来の入退室管理装置を示す構成図である。
【図７】  従来の入退室管理装置の動作を示すフローチャートである。
【符号の説明】
１  通行者、２  非接触カード、３  カードデータ、４  有効期限、
５  発信機、６  制御装置、７  受信機、８  登録データ、９  時計、
１０  中央処理装置、１１  電気錠制御装置、１２  電気錠、
１０１  警報音発生手段、１０２  警報表示手段、
１０３  優先カードデータ。
【図１】
0003918224.tif 000002
【図２】
0003918224.tif 000003
【図３】
0003918224.tif 000004
【図４】
0003918224.tif 000005
【図５】
0003918224.tif 000006
【図６】
0003918224.tif 000007
【図７】
0003918224.tif 000008